(57)【要約】      （修正有）【課題】左右の様子が速やかにわかるため、出会いがしらの事故を少なくすることが可能で、盗難されにくい構造になっている自動車用先端カーブミラーを提供する。【解決手段】運転席から見て車体先端の左右側面が見えるよう自転車用バックミラー２個を車体の先端中央部に取り付け、自転車用バックミラーを支持するベース板１−ｇの片端はボンネットカバー先端内部に差し込みボンネットカバー内側にボルト１−ｉで固定できるとともにボンネットカバーのロックが支障なくでき、ボンネットカバー上面と接触するベース板にはマグネットシート１−ｈを固着させることでベース板の固定とボンネットカバーの傷つき防止を備える。【選択図】図４
0003234593.tif 000002
【実用新案登録請求の範囲】
【請求項１】
運転席から見て車体先端の左右側面が見えるよう自転車用バックミラー2個を車体の先端中央部に取り付け、自転車用バックミラーを支持するベース板の片端はボンネットカバー先端内部に差し込みボンネットカバー内側にボルトで固定できるとともにボンネットカバーのロックが支障なくでき、ボンネットカバー上面と接触するベース板にはマグネットシートを固着させることでベース板の固定とボンネットカバーの傷つき防止を備えたことを特徴とする自動車用先端カーブミラー。
【考案の詳細な説明】
【技術分野】
【０００１】
本考案は運転席から車体先端中央部に凸面鏡の鉛直方向を軸とした回転と前後への振れ幅がある自転車用バックミラーを2個カーブミラーとして取り付け角度を調整することによって両側の様子をはっきりと見ることができ、バックミラーを支持するベース板はボンネットカバー内部でボルトにより固定できるため、盗難の危険性も少ない。
【背景技術】
【０００２】
従来より車庫から見通しの悪い直交する道路に車を出そうとするとき、見通しの悪い交差点を左右に曲がろうとするとき、運転者が目視できる位置まで来ないと左右側面の様子がわからず、また、運転席から車体先端までの距離があるため、出会いがしらの発見が遅れ様々な事故の原因となっていた。
【先行技術文献】
【特許文献】
【０００３】
【特許文献１】この種の従来技術としては、特開２００２−２１１３１８があるが2個のカーブミラーのそれぞれの角度を自由に調整できないため、角度の調整が難しい。通常運転席は右側か左側にあるため運転席から見て右と左のカーブミラーの最適な角度は異なる。また、車に取り付けるためには、車体の一部に孔を空ける必要があり、手間がかかる。
【非特許文献】
【０００４】
【非特許文献１】車庫から見通しの悪い道路に出るとき用に固定式のカーブミラーを取り付ける方法はあるが、安全な場所が限定されてしまう。
【考案の概要】
【考案が解決しようとする課題】
【０００５】
見通しの悪い車庫から道路への車出し、見通しの悪い交差点で車を右左折する場合、運転者の位置から車体先端までの距離のある車は左右の様子の発見が困難で出会いがしらの事故が多い。出合がしらの事故を減らすこと、および盗難対策が取られたカーブミラーが容易に取り付けられることを目指す。
【課題を解決するための手段】
【０００６】
この考案は上記する課題を解決するため、運転席から見て車体先端の左右側面が見えるよう自転車用バックミラー2個を車体の先端中央部に取り付け、自転車用バックミラーを支持するベース板の片端はボンネットカバー先端内部に差し込みボンネットカバー内側にボルトで固定できるとともにボンネットカバーのロックが支障なくでき、ボンネットカバー上面と接触するベース板にはマグネットシートを固着させることでベース板の固定とボンネットカバーの傷つき防止を備えたことを特徴とする自動車用先端カーブミラーを提供する。
【考案の効果】
【０００７】
本考案の自動車用先端カーブミラーを取り付けることによって、見通しの悪い車庫から道路への移動時、見通しの悪い交差点の左右への移動時の出合がしらの事故が減少する。また、車体に加工することなく簡単に取り付けられ盗難対策も取られているため盗難が少なく、多くの運転者が利用でき恩恵を受けられる。
【図面の簡単な説明】
【０００８】
【図１】自動車のボンネットカバー先端中央部に本考案の自動車用先端カーブミラーを差し込み固定した時の第１実施例の正面図である。
【図２】図１の側面図である。
【図３】本考案の自動車用先端カーブミラーの第１実施例を示す組み立て品の正面図である。
【図４】図3の側面図である。
【図５】図３の平面図である。
【図６】本考案の自動車用先端カーブミラーの第２実施例を示す組み立て品の正面図である。図３の延長ロッドをなくし、構造を簡素化したものである。
【図７】図６の側面図である。
【図８】図６の平面図である。
【考案を実施するための形態】
【０００９】
運転席から見て車体先端の左右側面が見えるよう自転車用バックミラー2個を車体の先端中央部に取り付け、自転車用バックミラーを支持するベース板の片端はボンネットカバー先端内部に差し込みボンネットカバー内側にボルトで固定できるとともにボンネットカバーのロックが支障なくでき、ボンネットカバー上面と接触するベース板にはマグネットシートを固着させることでベース板の固定とボンネットカバーの傷つき防止を備えたこと、容易には盗難できない構造を特徴とする自動車用先端カーブミラーを形成する。
【実施例】
【００１０】
第１実施例の実施例を記載する。ベース板Ａ（１−ｇ）は厚さ１ｍｍ縦１００ｍｍ横３５０ｍｍのアルミ板Ａ５０５２を使用し、ボンネットカバーに差し込めるよう、またボンネットカバーの内側に固定できるよう曲げ加工を行いボンネットカバー用ロックバー（４）の邪魔にならない位置へ2か所Ｍ４のメネジ加工を行った。また、ベース板Ａ（１−ｇ）の高さはほぼ７０ｍｍになるよう延長ロッド（１−ｅ）を取り付ける面はほぼ水平になるよう曲げ加工を行った。また、マグネットシート（１−ｈ）を接着する長さが約８０ｍｍになるようボンネットカバーと密着できる勾配に曲げ加工を行った。固定用ボルト（１−ｉ）はユリヤねじ白Ｍ４×１０ｍｍを２本使用した。マグネットシート（１−ｈ）は１００ｍｍ×８０ｍｍにカット後ベース板Ａ（１−ｇ）に接着した。延長ロッド固定用ブッシュＢ（１−ｆ）は延長ロッド（１−ｅ）を差し込んで接着できるよう内径１２ｍｍのものを使用した。延長ロッド（１−ｅ）は外径１２ｍｍのアルミのパイプを使用し、φ７０ｍｍの凸面鏡（１−ａ）の全面が運転席に座った状態で見える高さになるよう長さを７０ｍｍとした。ベース板Ａ（１−ｇ）にあらかじめ延長ロッド固定用ブッシュＢ（１−ｆ）を６０ｍｍのピッチでまた、凸面鏡固定用プレート（１−ｃ）は１００ｍｍ×５０ｍｍの厚さ１ｍｍのアルミ板を使用し６０ｍｍのピッチで裏表にそれぞれ凸面鏡固定用ブッシュ（１−ｂ）と延長ロッド固定用ブッシュＡ（１−ｄ）を接着した。その後、凸面鏡（１−ａ）の凸面鏡固定用ブッシュ（１−ｂ）との接着面はφ１４ｍｍでありこれを接着した。その後ベース板Ａ（１−ｇ）の延長ロッド固定用ブッシュＢ（１−ｆ）に延長ロッド（１−ｅ）を差し入れ接着した。最後に凸面鏡固定用プレート（１−ｃ）とベース板Ａ（１−ｇ）に延長ロッド（１−ｅ）を接着したものの接着を行った。組み立てた自動車用先端カーブミラーをボンネットカバー先端中央部に差し込み固定用ボルト（１−ｉ）で固定後、運転席に座り、左右の様子がわかるよう左右の凸面鏡（１−ａ）の位置、角度を調整し、凸面鏡（１−ａ）の位置、角度を調整できる部分に接着剤を塗布して固定した。車庫から道路に出るとき左右の様子がわかること、一般道路、高速道路を運転しても凸面鏡（１−ａ）の位置、角度が変わらず左右の様子がわかることを確認した。次に第２実施例を記載する。第２実施例は第１実施例の延長ロッド（１−ｅ）をなくしより簡単な構造にしたものである。第１実施例と同様にベース板Ｂ（６）は厚さ１ｍｍ縦１００ｍｍ横３５０ｍｍのアルミ板Ａ５０５２を使用し、ボンネットカバーに差し込めるよう、またボンネットカバーの内側に固定できるよう曲げ加工を行いボンネットカバー用ロックバー（４）の邪魔にならない位置へ2か所Ｍ４のメネジ加工を行った。ベース板Ｂ（６）の高さは凸面鏡（１−ａ）の全面が運転席に座った状態で見える高さになるほぼ１５０ｍｍにした。凸面鏡固定用ブッシュ（１−ｂ）を取り付ける面はほぼ水平になるよう曲げ加工を行った。また、マグネットシート（１−ｈ）を接着する長さが約８０ｍｍになるようボンネットカバーと密着できる勾配に曲げ加工を行った。ベース板Ｂ（６）に凸面鏡固定用ブッシュ（１−ｂ）を６０ｍｍのピッチで接着した。その後φ７０ｍｍの凸面鏡（１−ａ）のφ１４ｍｍの固定部分を接着した。第１実施例同様、組み立てた自動車用先端カーブミラーをボンネットカバー先端中央部に差し込み固定用ボルト（１−ｉ）で固定後、運転席に座り、左右の様子がわかるよう左右の凸面鏡（１−ａ）の位置、角度を調整し、凸面鏡（１−ａ）の位置、角度を調整できる部分に接着剤を塗布して固定した。車庫から道路に出るとき左右の様子がわかること、一般道路、高速道路を運転しても凸面鏡（１−ａ）の位置、角度が変わらず左右の様子がわかることを確認した。より安価に制作するにはベース板や延長ロッド、ブッシュを剛性、耐候性のある樹脂で成形すればよい。
【産業上の利用可能性】
【００１１】
本考案は、見通しの悪い車庫から出るとき、見通しの悪い交差点を右左折するとき、左右の様子が速やかにわかるため、出合がしらの
事故を少なくすることが可能であるとともに盗難されにくい構造になっている自動車用先端カーブミラーを新規に提供することで広く利用されるものである。
【符号の説明】
【００１２】
１        自動車用先端カーブミラー
１−ａ      凸面鏡
１−ｂ      凸面鏡固定用ブッシュ
１−ｃ      凸面鏡固定用プレート
１−ｄ      延長ロッド固定用ブッシュＡ
１−ｅ      延長ロッド
１−ｆ      延長ロッド固定用ブッシュＢ
１−ｇ      ベース板Ａ
１−ｈ      マグネットシート
１−ｉ      固定用ボルト
２        ボンネットカバー
３        ボンネットカバー想像線
４        ボンネットカバーロックバー想像線
５        ボンネットカバー先端想像線
６        ベース板Ｂ
【図１】
0003234593.tif 000003
【図２】
0003234593.tif 000004
【図３】
0003234593.tif 000005
【図４】
0003234593.tif 000006
【図５】
0003234593.tif 000007
【図６】
0003234593.tif 000008
【図７】
0003234593.tif 000009
【図８】
0003234593.tif 000010